(57)【要約】      （修正有）【課題】ストレス解消に効果的な楽曲を特定することを可能とし、利用者に対して歌唱による実効的なストレス解消を支援して利用者の満足度の向上ができるカラオケシステムを提供する。【解決手段】カラオケ装置１１のストレス解消度演算手段３０が利用者のログイン操作時の第１ストレス値及びログアウト操作時の第２ストレス値に基づいて算出したストレス解消値から歌唱一曲当たりの単位ストレス解消値を算出し、サーバ６２においてカラオケ装置より取得した単位ストレス解消値、楽曲ＩＤを利用者ＩＤ毎に記憶し、記憶されている全利用者の単位ストレス解消値中、数値の大きい単位ストレス解消値を所定数抽出して対応の楽曲ＩＤを抽出し、そのうち抽出回数の大きい楽曲ＩＤを所定数特定し、特定した楽曲ＩＤの楽曲名をカラオケ装置の報知手段３２で所定のタイミングで報知する。【選択図】図１
2015172702.tif 000002
【特許請求の範囲】
【請求項１】
カラオケ装置とサーバとが通信自在なカラオケシステムであって、
前記カラオケ装置は、
利用者の心拍に関する生体情報を検知する電極を備え、当該電極より検知した生体情報を分析して当該利用者のストレス値を検出するストレス値検出手段と、
利用者ＩＤで特定される利用者のログイン操作時及びログアウト操作時にそれぞれ前記ストレス値検出手段でストレス値を検出させるログイン・ログアウト処理手段と、
ログイン操作時に検出させた第１ストレス値を取得すると共に、ログアウト操作時に検出させた第２ストレス値を取得するストレス情報取得手段と、
前記ストレス情報取得手段より前記利用者のログイン操作時及びログアウト操作時に取得した前記第１ストレス値及び第２ストレス値に基づいてストレス解消値を算出し、当該ストレス解消値を当該利用者がログイン中に歌唱した楽曲の曲数より一曲当たりのストレス解消値である単位ストレス解消値を算出するストレス解消度演算手段と、
を有し、
前記サーバは、
前記カラオケ装置より前記利用者ＩＤに関連付けられた少なくとも前記算出された単位ストレス解消値及び当該利用者がログイン中に歌唱した総ての楽曲の楽曲ＩＤを取得する利用者情報取得手段と、
取得した前記単位ストレス解消値、前記楽曲ＩＤを前記利用者ＩＤに関連付けて記憶する記憶手段と、
前記記憶手段に記憶されている総ての利用者の単位ストレス解消値のうち数値の大きい所定数の単位ストレス解消値を抽出し、当該抽出された単位ストレス解消値に対応する楽曲ＩＤを当該記憶手段から抽出する楽曲抽出手段と、
前記楽曲抽出手段により抽出された楽曲ＩＤのうち抽出回数の大きい楽曲ＩＤを所定数特定する楽曲特定手段と、
を有することを特徴とするカラオケシステム。
【請求項２】
請求項１記載のカラオケシステムであって、
前記カラオケ装置は、
前記サーバより前記特定された楽曲ＩＤを取得する楽曲情報取得手段と、
前記取得した楽曲ＩＤで特定される楽曲名を推奨楽曲として報知する報知手段と、
を備えることを特徴とするカラオケシステム。
【請求項３】
請求項２記載のカラオケシステムであって、
前記報知手段は、ストレス解消度演算手段が前記利用者のログイン操作時の前記第１ストレス値と予め設定した設定基準値とを比較した結果において当該第１ストレス値が当該設定基準値より高い場合に、前記楽曲情報取得手段が取得した楽曲ＩＤの楽曲名を所定のタイミングで報知する、
ことを特徴とするカラオケシステム。
【発明の詳細な説明】
【技術分野】
【０００１】
本発明は、カラオケ利用者に歌唱による健康維持などを支援するカラオケシステムに関する。
【背景技術】
【０００２】
近年、カラオケ装置は高機能化により利用者に対して歌唱による健康維持や介護などの種々の支援を行うものも出現している。また、カラオケ歌唱によってストレス解消に役立つということが広く一般に知られており、新たに利用者に対して効率的なストレス解消を支援することが望まれる。
【０００３】
従来、カラオケ歌唱による健康維持や介護などの種々の支援を行うものとして、例えば特許文献１では、歌唱によるカロリー消費量を算出し、利用者にカロリー消化効果として報知することにより、利用者のカロリー管理やダイエットなど健康維持努力を支援する技術が開示されている。
【０００４】
一方で、ストレスに関して、例えば特許文献２に開示されているような腕時計型の外観を有し、心拍変動を高速フーリエ変換によりスペクトル分析してリラックス状態の程度を判定する装置が知られている。スマートホンのアプリケーションソフトでストレスを数値化するものもある。
【０００５】
また、特許文献３に開示されているようなゲーム機のコントローラに遊戯者の心拍に関する生体情報を検出する測定部を備え、遊戯者のテクノストレスを測定し、ストレス値が所定値を超えた場合には遊戯者をテクノストレスから保護するために強制的にゲームを終了したり、ゲーム・キャラクターの戦闘能力を低下させて興趣性を向上させたりする技術も知られている。
【先行技術文献】
【特許文献】
【０００６】
【特許文献１】特開２０００−０２９４７９号公報
【特許文献２】特開平１０−０７６０１２号公報
【特許文献３】特開２００８−１０４５９６号公報
【特許文献４】特開２００７−２２５９９３号公報
【発明の概要】
【発明が解決しようとする課題】
【０００７】
上記のような歌唱によるカロリー消費以外にも、カラオケ利用者のフィジカル・ケアに着目した技術は多数知られているが、その一方で利用者のメンタル・ケアに関わるものは少なく、カラオケルーム利用者のストレスを数値化し、歌唱によるストレス解消を支援するようなものは存在していない。また、特許文献４には歌唱者の緊張度をマイクに伝わる手の震えから検出して報知したり、歌唱評価に利用したりする技術が開示されているが、歌唱者のストレス解消を積極的に支援するものではなく、手の震えという信頼度の低い情報に依存していることから、ストレス解消を支援するとまでには至ることができない。
【０００８】
そこで、本発明は上記課題に鑑みなされたもので、ストレス解消に効果的な楽曲を特定することを可能とし、利用者に対して歌唱による実効的なストレス解消を支援して利用者の満足度の向上を図るカラオケシステムを提供することを目的とする。
【課題を解決するための手段】
【０００９】
上記課題を解決するために、請求項１の発明では、カラオケ装置とサーバとが通信自在なカラオケシステムであって、前記カラオケ装置は、利用者の心拍に関する生体情報を検知する電極を備え、当該電極より検知した生体情報を分析して当該利用者のストレス値を検出するストレス値検出手段と、利用者ＩＤで特定される利用者のログイン操作時及びログアウト操作時にそれぞれ前記ストレス値検出手段でストレス値を検出させるログイン・ログアウト処理手段と、ログイン操作時に検出させた第１ストレス値を取得すると共に、ログアウト操作時に検出させた第２ストレス値を取得するストレス情報取得手段と、前記ストレス情報取得手段より前記利用者のログイン操作時及びログアウト操作時に取得した前記第１ストレス値及び第２ストレス値に基づいてストレス解消値を算出し、当該ストレス解消値を当該利用者がログイン中に歌唱した楽曲の曲数より一曲当たりのストレス解消値である単位ストレス解消値を算出するストレス解消度演算手段と、を有し、前記サーバは、前記カラオケ装置より前記利用者ＩＤに関連付けられた少なくとも前記算出された単位ストレス解消値及び当該利用者がログイン中に歌唱した総ての楽曲の楽曲ＩＤを取得する利用者情報取得手段と、取得した前記単位ストレス解消値、前記楽曲ＩＤを前記利用者ＩＤに関連付けて記憶する記憶手段と、前記記憶手段に記憶されている総ての利用者の単位ストレス解消値のうち数値の大きい所定数の単位ストレス解消値を抽出し、当該抽出された単位ストレス解消値に対応する楽曲ＩＤを当該記憶手段から抽出する楽曲抽出手段と、前記楽曲抽出手段により抽出された楽曲ＩＤのうち抽出回数の大きい楽曲ＩＤを所定数特定する楽曲特定手段と、を有する構成とする。
【００１０】
請求項２，３の発明は、「前記カラオケ装置は、前記サーバより前記特定された楽曲ＩＤを取得する楽曲情報取得手段と、前記取得した楽曲ＩＤで特定される楽曲名を推奨楽曲として報知する報知手段と、を備える」構成であり、
「前記報知手段は、ストレス解消度演算手段が前記利用者のログイン操作時の前記第１ストレス値と予め設定した設定基準値とを比較した結果において当該第１ストレス値が当該設定基準値より高い場合に、前記楽曲情報取得手段が取得した楽曲ＩＤの楽曲名を所定のタイミングで報知する」構成である。
【発明の効果】
【００１１】
請求項１の発明によれば、カラオケ装置が、利用者のログイン操作時及びログアウト操作時にそれぞれストレス値検出手段でストレス値を検出させ、ログイン操作時に検出させた第１ストレス値及びログアウト操作時に検出させた第２ストレス値に基づいてストレス解消値を算出し、当該ストレス解消値を当該利用者がログイン中に歌唱した楽曲の曲数より一曲当たりのストレス解消値である単位ストレス解消値を算出し、サーバが、取得した前記単位ストレス解消値、前記楽曲ＩＤを前記利用者ＩＤに関連付けて記憶し、記憶されている総ての利用者の単位ストレス解消値のうち数値の大きい所定数の単位ストレス解消値を抽出し、当該抽出された単位ストレス解消値に対応する楽曲ＩＤを当該記憶手段から抽出し、当該抽出された楽曲ＩＤのうち抽出回数の大きい楽曲ＩＤを所定数特定する構成とすることにより、カラオケ利用者のストレスを数値化し、多数の利用者のストレス値の集計結果に基づき歌唱記録を参照することでカラオケ歌唱でストレス解消効果の高い楽曲を特定することができるものである。
【００１２】
請求項２，３の発明によれば、サーバより取得した楽曲ＩＤで特定される楽曲名を、適宜、利用者のログイン操作時の第１ストレス値と予め設定した設定基準値とを比較した結果において当該第１ストレス値が当該設定基準値より高い場合に、推奨楽曲として所定のタイミングで報知する構成とすることにより、カラオケ歌唱でストレス解消効果の高い楽曲情報を提供することができ、利用者のストレス解消を支援することができる。特に、単位ストレス解消値が高かった時の共通因子を求めるものであり、ストレス解消値が歌唱した楽曲に依存している場合に効果がある。
【図面の簡単な説明】
【００１３】
【図１】本発明に係るカラオケ装置のブロック構成図である。
【図２】本発明に係るサーバの説明図である。
【図３】図１の遠隔入出力装置における最初のログイン時のフローチャート及び報知表示の説明図である。
【図４】図１のカラオケ装置における単位ストレス解消値演算処理のフローチャートである。
【図５】図２のサーバにおける楽曲抽出処理のフローチャートである。
【図６】図１のカラオケ装置におけるストレス解消報知処理のフローチャートである。
【図７】図６の報知表示の説明図である。
【図８】図１の遠隔入出力装置における楽曲選曲時の報知表示の説明図である。
【発明を実施するための形態】
【００１４】
以下、本発明の実施形態を図により説明する。
図１に、本発明に係るカラオケ装置のブロック構成図を示す。本発明は、カラオケ装置とサーバとによりカラオケシステムが構成される。図１において、カラオケ装置１１は、主要装置としてのカラオケ本体１２に、有線又は無線で外部接続されるものとして、表示部１３、ミキシングアンプ１４、マイク１５、スピーカ１６、遠隔入出力端末１７が接続される。
【００１５】
上記表示部１３は、通常の楽曲選曲表示やカラオケ演奏時の背景映像等を表示するもので、例えば液晶ディスプレイ（ＬＣＤ）、プラズマディスプレイ（ＰＤＰ）、その他種々のディスプレイを採用することができる。上記ミキシングアンプ１４は、カラオケ本体１２より送られてくる音楽演奏信号に、マイク１５からの音声信号をミキシングし、増幅してスピーカ１６より出力する。
【００１６】
上記遠隔入出力端末１７は、図示しない端末送受信部により、カラオケ本体１２に対して有線方式ないし無線方式（ＩＲ方式やブルートゥース（登録商標）機構のピコネット接続方式など）を利用してデータ授受を行うためのもので、少なくともログイン・ログアウト処理手段１７Ａ、ストレス値検出手段１７Ｂ、選曲楽曲登録手段１７Ｃ及び端末表示手段１７Ｄを適宜備える。
【００１７】
上記ログイン・ログアウト処理手段１７Ａは、利用者によるログイン操作に応じて当該利用者より利用者ＩＤを取得してログインを許可し、当該利用者ＩＤを後述のカラオケ本体１２のＲＡＭ２３の利用者情報４２の記憶領域に記憶し、当該利用者ＩＤを後述のストレス解消の推奨楽曲とする楽曲ＩＤを要求するコマンドと共にサーバ６２に送出する処理を行うと共に、ログアウト操作に応じて利用終了の処理を行うと共に、後述のＲＡＭ２３の利用者情報４２として記憶されている単位ストレス解消値及び楽曲ＩＤを利用者ＩＤに関連付けてサーバ６２に送出する処理を行い、また、ログイン操作時及びログアウト操作時に当該利用者に後述のストレス値を検出させるための指示（電極を把持させる指示）を端末表示手段１７Ｄで表示させるプログラムである。
【００１８】
上記ストレス値検出手段１７Ｂは、当該遠隔入出力端末１７の筐体の一部を構成する２つの把持部（図３参照の１８Ａ，１８Ｂ）に電極（図３参照の１９Ａ，１９Ｂ）が設けられたもので、利用者が電極を両手で把持することで検知した心拍に関する生体情報を分析して当該利用者のストレス値を検出するプログラムであり、前述の特許文献２で知られているプログラムが適用可能である。また、電極（１９Ａ，１９Ｂ）についても前述の特許文献３で知られている測定部が適用可能である。
【００１９】
選曲楽曲登録手段１７Ｃは楽曲を検索させ、選曲させるテーブルを備えるプログラムであり、選曲された楽曲は、後述のカラオケ本体１２における予約待ち行列（４１）に登録される。上記端末表示部１７Ｄは、液晶ディスプレイ（ＬＣＤ）とタッチセンサとを積層して入出力用とし、表示されるアイコン等に対応して当該タッチセンサにより楽曲の選択などのデータを入力することができるＧＵＩのユーザインタフェース機能を有するものである。なお、ストレス解消のための推奨楽曲を選曲時に表示してもよい（図７で説明する）。
【００２０】
上記カラオケ本体１２は、バス２０、中央制御部２１、ＲＯＭ２２、ＲＡＭ２３、映像表示制御手段２４、音楽演奏制御部２５、音源（シンセサイザ）２６、送受信部２７Ａ，２７Ｂ、記憶部２８、ストレス情報取得手段２９、ストレス解消度演算手段３０、楽曲情報取得手段３１及び報知手段３２を備える。上記ＲＡＭ２３には予約待ち行列４１、利用者情報４２及び楽曲情報４３の記憶領域が形成され、記憶部２８には楽曲ＤＢ５１及び映像ＤＢ５２が記憶される。なお、上記各構成について、本発明の要旨と直接関連しない要素部分であっても、従前のカラオケシステムにおいても大部分が適用可能であることを示すために、構成要素の全体を説明する。
【００２１】
上記中央制御部２１は、このシステムを統括的に処理制御する物理的なＣＰＵであり、ＲＯＭ２２に記憶されているプログラムに基づくアルゴリズム処理を行う。上記ＲＡＭ２３は、予約待ち行列４１、利用者情報４２及び楽曲情報４３の記憶領域が形成される他に、上記種々のプログラムを展開、実行させるための作業領域としての役割をなすもので、例えば半導体メモリで構成され、仮想的にハードディスク上に構築される場合をも含む概念である。
【００２２】
ここで、ＲＡＭ２３に形成される利用者情報４２の記憶領域には、上記ログイン・ログアウト処理手段１７Ａで取得した利用者ＩＤに関連付けてログイン日時、利用時間及びログアウトまでに歌唱した楽曲の楽曲ＩＤなどの情報が記憶されると共に、上記ストレス値検出手段１７Ｂで利用者のログイン操作時に検出された第１ストレス値、ログアウト操作時に検出された第２ストレス値、後述のストレス解消度演算手段３０で演算された単位ストレス解消値などの情報が記憶される。また、ＲＡＭ２３に形成される楽曲情報４３の記憶領域には、後述の楽曲情報取得手段３１がサーバ６２より取得したストレス解消に効果的として特定した所定数の楽曲ＩＤの楽曲名が記憶される。
【００２３】
上記映像表示制御手段２４は、演奏時に、映像ＤＢ５２より抽出された背景映像及び楽曲ＤＢ５１より抽出された楽曲の歌詞データを表示部１３に出力するプログラム乃至電子回路である。上記音楽演奏制御部２５は、例えばシーケンスプログラムを備え、楽曲ＩＤで楽曲ＤＢ５１より抽出された音符データに従って音源（シンセサイザ）２６を駆動するもので、当該音源２６の出力は演奏信号としてミキシングアンプ１４に出力される。
【００２４】
上記送受信部２７Ａは、遠隔入出力端末１７との間で有線方式ないし無線方式（ＩＲ方式やブルートゥース（登録商標）機構のピコネット接続方式など）を利用してデータ授受を行うためのもので、そのための電子回路及びプログラムである。上記送受信部２７Ｂは、インターネットなどの通信ネットワーク６１を介してカラオケ装置１１とサーバ６２とがデータ授受を行うための物理的な通信用回路やプラットフォーム等のソフトウエアにより構成されるものである。なお、サーバ６２については図２で説明する。
【００２５】
上記記憶部２８に記憶されている楽曲ＤＢ５１は、楽曲毎に、音符データ、歌詞データ、歌唱採点のためのリファレンスデータなどを格納する。演奏に関して、具体的には、楽曲ＩＤ、楽曲名及びアーチストＩＤ（アーチスト名）が関連付けられた楽曲テーブルを有し、楽曲毎に、楽曲ＩＤで管理される所定データ形式のカラオケ楽曲の音符データ（例えば、ＭＩＤＩ（登録商標）形式の音符データ）等で構成される楽曲データ（ファイル）について楽曲ＩＤをファイル名としてそれぞれ格納したデータベースである。上記記憶部２８に記憶されている映像ＤＢ５２は、楽曲毎に応じた背景映像データについて楽曲ＩＤをファイル名として所定数格納したデータベースである。
【００２６】
上記ストレス情報取得手段２９は、上記遠隔入出力装置１７のストレス値検出手段１７Ｂで検出された第１ストレス値及び第２ストレス値を取得して利用者ＩＤに関連付けて上記ＲＡＭ２３に利用者情報４２として記憶するプログラムである。
【００２７】
上記ストレス解消度演算手段３０は、ストレス情報取得手段２９が取得してＲＡＭ２３の利用者情報４２として記憶した第１ストレス値及び第２ストレス値に基づいてストレス解消値を算出し、当該ストレス解消値を当該利用者がログイン中に歌唱した楽曲の曲数より一曲当たりのストレス解消値である単位ストレス解消値を算出すると共に、利用者のログイン操作時検出された第１ストレス値と予め設定した設定基準値とを比較して当該第１ストレス値が当該設定基準値より高いか否かを判定するプログラムであり、処理タイミングや処理内容の詳細は図４及び図６で説明する。
【００２８】
上記楽曲情報取得手段３１は、サーバ６２より特定された楽曲ＩＤを取得し、当該楽曲ＩＤに基づいて楽曲ＤＢ５１より抽出した楽曲名等をＲＡＭ２３における楽曲情報４３の記憶領域に記憶するプログラムである。上記報知手段３２は、ＲＡＭ２３の楽曲情報４３として記憶した楽曲名等を歌唱推奨曲として所定のタイミング、例えば利用者がログインする時、利用者による遠隔入出力装置１７での楽曲選曲時、利用者がログアウトする時の少なくとも何れかの時に報知するプログラムであり、図３、図７及び図８で説明する。
【００２９】
続いて、図２に、本発明に係るサーバの説明図を示す。まず、図２（Ａ）において、サーバ６２は、インターネットなどの通信ネットワーク６１を介して所定数のカラオケ端末であるカラオケ装置１１（１１Ａ〜１１Ｎ）を管理し、当該各カラオケ装置１１に対する楽曲データの配信や各種データを送受する装置である。
【００３０】
サーバ６２は、図２（Ｂ）に示すように、少なくとも制御部７１、送受信部７２、利用者情報取得手段７３、楽曲抽出手段７４、楽曲特定手段７５、利用者情報更新手段７６及び記憶手段である利用者ＤＢ７７を備える。上記制御部７１は、当該サーバ６２を統括的に制御する物理的なＣＰＵであり、図示しないＲＯＭに格納されているプログラムを実行処理して統括的な処理を行う。
【００３１】
上記送受信部７２は、各カラオケ装置１１（１１Ａ〜１１Ｎ）との通信（データ授受）を行うために、通信ネットワーク６１の通信方式と整合性をとるための例えば物理的な通信用回路やプラットフォーム等のソフトウエアにより構成される。上記利用者情報取得手段７３は、カラオケ装置１１より利用者を特定する利用者ＩＤに関連付けられた少なくとも当該カラオケ装置１１で算出された単位ストレス解消値及び当該利用者がログイン中に歌唱した総ての楽曲の楽曲ＩＤを取得するプログラムである。
【００３２】
上記楽曲抽出手段７４は、タイマ機能などにより例えば毎月末などの所定期間毎に、利用者ＤＢ７７に記憶されている総ての利用者の単位ストレス解消値のうち数値の大きい所定数の単位ストレス解消値を抽出し、当該抽出された単位ストレス解消値に対応する楽曲ＩＤを当該利用者ＤＢ７７から抽出するプログラムである。上記楽曲特定手段７５は、楽曲抽出手段により抽出された楽曲ＩＤのうち抽出回数の大きい楽曲ＩＤを所定数特定して図示しない記憶部に記憶しておくプログラムである。上記楽曲抽出手段７４及び楽曲特定手段７５の処理内容の詳細は図５で説明する。
【００３３】
上記利用者情報更新手段７６は、カラオケ装置１１より上記利用者情報取得手段７３が取得した利用者ＩＤに関連付けられた少なくともログイン日時、利用時間、単位ストレス解消値（Ｄｕ）、楽曲ＩＤを記憶するプログラムである。上記利用者ＤＢ７７は、図２（Ｃ）に示すように、利用者の利用者ＩＤと関連付けられて、少なくともログイン日時、利用時間、単位ストレス解消値（Ｄｕ）及び歌唱楽曲ＩＤを記憶するデータベースである。
【００３４】
そこで、図３に、図１の遠隔入出力装置における最初のログイン時のフローチャート及び報知表示の説明図を示す。図３での最初のログインとは便宜上のもので、上記サーバ６２の利用者ＤＢ７７に単位ストレス解消値やこれに関する情報が存在していない状態をいう。
【００３５】
図３（Ａ）において、利用者による遠隔入出力装置１７を用いたログイン要求に応じてログイン・ログアウト処理手段１７Ａのログイン処理が開始され、利用者ＩＤの要求に対して当該利用者より利用者ＩＤを取得する（ステップ１（Ｓ１））。利用者ＩＤを取得すると、利用者に対して、図３（Ｂ）に示すように、遠隔入出力装置１７の筐体両側部の把持部１８Ａ、１８Ｂに設けられた電極１９Ａ，１９Ｂを把持するように指示する表示をする（Ｓ２）。
【００３６】
電極１９Ａ，１９Ｂより検知された心拍に関する生体情報に基づいて、ストレス値検出手段１７Ｂが当該生体情報を分析して当該利用者のストレス値を検出し（Ｓ３）、ストレス情報取得手段２９がログイン操作時の当該ストレス値を第１ストレス値Ｓｔ１として利用者ＩＤに関連付けてＲＡＭ２３の利用者情報４２の記憶領域に記憶する（Ｓ４）。ログインした利用者は、遠隔入出力装置１７の選曲楽曲登録手段１７Ｃより楽曲を選曲して予約待ち行列４１に登録して歌唱するもので、歌唱した楽曲の楽曲ＩＤは利用者ＩＤに関連付けてＲＡＭ２３に利用者情報４２として記憶されていく。
【００３７】
続いて、図４に、図１のカラオケ装置における単位ストレス解消値演算処理のフローチャートを示す。図４において、利用者がカラオケルームで楽曲を所定数歌唱した後に、遠隔入出力装置１７を用いてログアウト操作をすると（Ｓ１１）、ログアウト画面でログアウトする利用者を指定することにより利用者ＩＤが決定されて利用者ＩＤが取得されることとなる（Ｓ１２）。利用者ＩＤを取得すると、ログイン時と同様に電極１９Ａ，１９Ｂを把持するように指示する表示をする（Ｓ１３）。
【００３８】
電極１９Ａ，１９Ｂより検出された心拍に関する生体情報に基づいて、ストレス値検出手段１７Ｂが当該生体情報を分析して当該利用者のストレス値を検出し（Ｓ１４）、ストレス情報取得手段２９がログアウト操作時の当該ストレス値を第２ストレス値Ｓｔ２として利用者ＩＤに関連付けてＲＡＭ２３に利用者情報４２として一旦記憶する。
【００３９】
そこで、ストレス解消度演算手段３０において、ＲＡＭ２３の利用者情報４２に記憶されている第１ストレス値Ｓｔ１及び第２ストレス値Ｓｔ２に基づいてストレス解消値Ｄを算出し、記憶されている当該利用者が歌唱した曲数（Ｎ）に基づいて一曲当たりのストレス値である単位ストレス値（Ｄｕ）を算出する。（Ｓ１５）。具体的には、ストレス解消値Ｄは第１ストレス値Ｓｔ１と第２ストレス値Ｓｔ２との差分又は比率で算出するもので、ここでは差分とし、
ストレス解消値Ｄ＝Ｓｔ１−Ｓｔ２
単位ストレス解消値Ｄｕ＝Ｄ／Ｎ
の演算処理で単位ストレス解消値Ｄｕを算出する。
【００４０】
そして、ログイン・ログアウト処理手段１７Ａが、送受信部２７Ｂ、通信ネットワーク６１を介してサーバ６２に対し、利用者ＩＤに関連付けてログイン日時と共に、単位ストレス解消値Ｄｕ及びＲＡＭ２３の利用者情報４２に記憶されている利用者が歌唱した総ての楽曲の楽曲ＩＤを送出してログアウト処理を終了する（Ｓ１６）。サーバ６２では、カラオケ装置１１より送出された利用者情報（利用者ＩＤ、ログイン日時、単位ストレス解消値Ｄｕ、楽曲ＩＤ）を通信ネットワーク６１、送受信部７２を介して利用者情報取得手段７３が取得し、利用者情報更新手段７６が利用者ＤＢ７７を更新するものである。
【００４１】
次に、図５に、図２のサーバにおける楽曲抽出処理のフローチャートを示す。図５において、楽曲抽出手段７４が、タイマ機能などにより例えば毎月末などの所定期間毎に、利用者ＤＢ７７に記憶されている総ての利用者の単位ストレス解消値のうち数値の大きい所定数の単位ストレス解消値を抽出する（Ｓ２１）。図２（Ｃ）を参考にして説明する。単位ストレス解消値Ｄｕの抽出数を例えば「３」と設定すると、全ての単位ストレス解消値Ｄｕを大きい順に並べて「４０．５」、「３５．５」、「２０．０」、「１６．６」、…とし、上位Ｄｕ１「４０．５」，Ｄｕ２「３５．５」，Ｄｕ３「２０．０」を抽出する。
【００４２】
そこで、当該抽出された単位ストレス解消値Ｄｕ１，Ｄｕ２，Ｄｕ３に対応する楽曲ＩＤの全部を当該利用者ＤＢ７７から抽出する（Ｓ２２）。図２（Ｃ）においては、楽曲ＩＤ「ａ，ｂ，ｃ，ｄ，ｇ，ａ，ｂ，ｇ，ｈ，ｉ，ｊ，ａ，ｅ，ｇ，ｎ」が抽出され、各楽曲ＩＤ毎に並べ換えると「ａ，ａ，ａ，ｂ，ｂ，ｃ，ｄ，ｅ，ｇ，ｇ，ｇ，ｈ，ｉ，ｊ，ｎ」となる。
【００４３】
そして、楽曲特定手段７５は、楽曲抽出手段７４により抽出された楽曲ＩＤのうち抽出回数の大きい楽曲ＩＤを所定数特定して図示しない記憶部に記憶しておく（Ｓ２３）。図２（Ｃ）においては、抽出回数で楽曲ＩＤａが３回、楽曲ＩＤｂが２回、楽曲ＩＤｃが１回、楽曲ＩＤｄが１回、楽曲ＩＤｅが１回、楽曲ＩＤｇが３回、楽曲ＩＤｈが１回（以下略）となる。ここで、楽曲ＩＤの抽出数を「２」と設定すると、抽出回数の大きい楽曲ＩＤａ及び楽曲ＩＤｇが特定され、当該楽曲ＩＤａ及び楽曲ＩＤｇがストレス解消効果の高い楽曲と推測されるものである。
【００４４】
続いて、図６に図１のカラオケ装置におけるストレス解消報知処理のフローチャートを示すと共に、図７に図６の報知表示の説明図を示す。図６において、以前にストレス解消対象の歌唱を行い、図２（Ｃ）に示すような単位ストレス解消値Ｄｕ及びこれに対応する楽曲ＩＤが利用者ＤＢ７７に記憶されている利用者により遠隔入出力装置１７を用いてログイン要求があると、ログイン・ログアウト処理手段１７Ａのログイン処理が開始され、利用者ＩＤの要求に対して当該利用者より利用者ＩＤを取得する（Ｓ３１）。
【００４５】
利用者ＩＤを取得すると、利用者に対して、図３（Ｂ）に示すような遠隔入出力装置１７の筐体両側部の把持部１８Ａ、１８Ｂに設けられた電極１９Ａ，１９Ｂを把持するように指示する表示をする（Ｓ３２）。当該利用者の電極１９Ａ，１９Ｂより検知された心拍に関する生体情報に基づいて、ストレス値検出手段１７Ｂが当該生体情報を分析して当該利用者のストレス値を検出する（Ｓ３３）。
【００４６】
検出されたストレス値を、ストレス情報取得手段２９がログイン操作時の当該ストレス値を第１ストレス値Ｓｔ１として利用者ＩＤに関連付けてＲＡＭ２３の利用者情報４２の記憶領域に記憶すると共に、ストレス解消度演算手段３０において第１ストレス値Ｓｔ１が予め設定した設定基準値Ｓｔｓより高いか否かの演算処理を行う（Ｓ３４）。第１ストレス値Ｓｔ１が予め設定した設定基準値Ｓｔｓを下回っていればログイン処理を終了する（Ｓ３５）。
【００４７】
一方、Ｓ３５において、例えば設定基準値Ｓｔｓを「１５０」と設定した時の第１ストレス値Ｓｔ１が「２００」であった場合などの第１ストレス値Ｓｔ１が予め設定した設定基準値Ｓｔｓ以上であれば、ログイン・ログアウト処理手段１７Ａは、サーバ６２に対して当該利用者ＩＤを上記楽曲特定手段７５が特定した楽曲ＩＤを要求するコマンドと共に送出する（Ｓ３６）。
【００４８】
サーバ６２は当該カラオケ装置１１の要求に対して楽曲特定手段７５が特定して図示しない記憶部に記憶されている所定数の楽曲ＩＤを当該カラオケ装置１１に送出することでカラオケ装置１１における楽曲情報取得手段３２が取得する（Ｓ３７）。そして、当該楽曲ＩＤに基づいて楽曲ＤＢ５１より楽曲名等を抽出してＲＡＭ２３に楽曲情報４３として記憶する（Ｓ３８）。
【００４９】
そこで、報知手段３２が、所定のタイミングでＲＡＭ２３に楽曲情報４３として記憶されている楽曲名等を推奨楽曲として、例えば利用者のログイン操作時に、図７（Ａ）に示すように遠隔入出力装置１７の端末表示手段１７Ｄに表示するものである（Ｓ３９）。
【００５０】
なお、利用者のログアウト操作時に検出された第２ストレス値Ｓｔ２が第１ストレス値Ｓｔ１以上の場合には、報知手段３１が、図７（Ｂ）に示すように、例えば「次回はこんな曲を歌ってみてはどうでしょう」などのメッセージに添えて上記楽曲名等を表示させることとしてもよい。
【００５１】
次に、図８に、図１の遠隔入出力装置における楽曲選曲時の報知表示の説明図を示す。図８は、報知手段３２による報知のタイミングとして、利用者の楽曲選曲時とした場合を示したもので、図８（Ａ）に示すように、遠隔入出力装置１７において楽曲選曲が選択されて楽曲選曲登録手段１７Ｃが起動すると、楽曲選曲の方法選択を表示させた時に、その中に「ストレス解消推奨曲」の選択ボタンを含ませている。
【００５２】
そこで、利用者が「ストレス解消推奨曲」を選択すると、報知手段３２がＲＡＭ２３に楽曲情報４３として記憶されている楽曲名等を推奨楽曲として、図８（Ｂ）に示すように表示させ、利用者によって一の楽曲が選曲された場合にはＲＡＭ２３の予約待ち行列４１に登録される。このようにすることにより、利用者のストレス解消のための歌唱をよりきめ細やかに支援することができるものである。
【００５３】
なお、上記実施形態では、報知手段３２による楽曲名等の報知を、ログインした利用者のストレス値が設定基準値Ｓｔｓより上回った時として説明したが、ストレス値に拘わらず、ログインした利用者全員に所定のタイミングで報知することとしてもよい。また、本実施形態では、ログイン・ログアウト処理手段１７Ａからの要求に応じて、サーバ６２が、楽曲特定手段７５により特定された楽曲ＩＤをカラオケ装置１１に送出するよう構成したが、これに限定されるものではない。例えば、ログイン・ログアウト処理手段１７Ａからの要求はなく、楽曲特定手段７５が所定のタイミングで楽曲ＩＤを特定する度にサーバ６２が当該楽曲ＩＤを送出し、各カラオケ装置１１は取得した楽曲ＩＤを記憶部２８に記憶し、適宜読み出すあるいは更新するよう構成してもよい。
【００５４】
さらに、本実施形態においては、相対的に値の大きい単位ストレス解消値に対応する楽曲をストレス解消効果の高い楽曲として抽出したが、逆に、値がマイナスである単位ストレス解消値を対象として同様の手法を用いることにより、ストレスが溜まり易い楽曲を推測することもできる。そして、利用客がこのような楽曲を予約しようとした場合には、ストレスが溜まり易い楽曲である旨を報知するような構成にしてもよい。
【００５５】
このように、カラオケ利用者のストレスを数値化し、多数の利用者のストレス値の集計結果に基づき歌唱記録を参照することでカラオケ歌唱でストレス解消効果の高い楽曲を特定することができる共に、カラオケ歌唱でストレス解消効果の高い楽曲情報を提供することができ、利用者のストレス解消を支援することができる。特に、単位ストレス解消値が高かった時の共通因子を求めるものであり、ストレス解消値が歌唱した楽曲に依存している場合に効果がある。
【産業上の利用可能性】
【００５６】
本発明のカラオケシステムは、カラオケの基本的機能を備えるカラオケ装置の産業分野に利用可能である。
【符号の説明】
【００５７】
１１            カラオケ装置
１２            カラオケ本体
１７            遠隔入出力装置
１７Ａ          ログイン・ログアウト処理手段
１７Ｂ          ストレス値検出手段
２９            ストレス情報取得手段
３０            ストレス解消度演算手段
３１            楽曲情報取得手段
３２            報知手段
４２            利用者情報
４３            楽曲情報
６２            サーバ
７３            利用者情報取得手段
７４            楽曲抽出手段
７５            楽曲特定手段
７７            利用者ＤＢ
【図１】
2015172702.tif 000003
【図２】
2015172702.tif 000004
【図３】
2015172702.tif 000005
【図４】
2015172702.tif 000006
【図５】
2015172702.tif 000007
【図６】
2015172702.tif 000008
【図７】
2015172702.tif 000009
【図８】
2015172702.tif 000010